(57)【特許請求の範囲】
【請求項１】
保存液が満たされ、上方が開口となった第１収容部と、保存液が満たされ、下方が開口となった第２収容部とが形成される本体；を含み、
前記保存液に漬かった状態で膨らんでいる部分が開口方向に向かうように置かれるコンタクトレンズ；
前記本体の第１収容部を密閉するように前記本体の上側端部に融着される第１包装ホイル；及び
前記本体の第２収容部を密閉するように前記本体の下側端部に融着される第２包装ホイル；をさらに含み、
前記第１収容部の下側面と前記第２収容部の上側面のいずれか一方又は両方には前記コンタクトレンズの縁部が支持されるようにエッジ保護部がリング形に突設され、
前記第１収容部の下側面と前記第２収容部の上側面のいずれか一方又は両方には前記コンタクトレンズの押された光学部が支持されるようにオプティカルゾーン保護部がリング形に突設され、
前記エッジ保護部と前記オプティカルゾーン保護部は同心を成し、前記オプティカルゾーン保護部は前記エッジ保護部の内側に一定間隔で離隔して前記エッジ保護部より低く形成され、
前記本体の第１収容部および第２収容部の高さは、前記コンタクトレンズの高さより低く形成され、前記コンタクトレンズの光学部が押され、凹状に収容されることを特徴とする、コンタクトレンズ包装容器。
【請求項２】
前記本体の外側面には、前記第１包装ホイル又は前記第２包装ホイルを除去するとき、指が入れられて支持されるように指支持溝が凹設されたことを特徴とする、請求項１に記載のコンタクトレンズ包装容器。
【請求項３】
前記第１包装ホイル及び前記第２包装ホイルには、把持ができるように、一側又は両側に取っ手部がそれぞれ形成されていることを特徴とする、請求項１に記載のコンタクトレンズ包装容器。
【請求項４】
前記本体の厚さは２ｍｍ〜６ｍｍであることを特徴とする、請求項１に記載のコンタクトレンズ包装容器。
【発明の詳細な説明】
【技術分野】
【０００１】
本発明はコンタクトレンズが損傷しないように包装するためのコンタクトレンズ包装容器に関するものである。
【背景技術】
【０００２】
一般に、コンタクトレンズは目の前方表面にある角膜に装着して視力矯正、目の治療、美容などの目的で使うことになる。
【０００３】
ここで、コンタクトレンズは着用時に拒否感が生じないように角膜を覆うことができる程度のサイズととても薄い厚さで形成され、角膜に密着するように半球形のソフトな素材からなる。
【０００４】
このようなコンタクトレンズは使おうとする人の視力に合うように生産され、保存液が収容されている包装容器内に密封され、使おうとする人が密封されている包装容器の包装ホイルを取り外した後、収納されているコンタクトレンズを使うことになる。
【０００５】
ここで、コンタクトレンズを着用するために包装容器の包装ホイルを開け、保存液に漬かっているコンタクトレンズを指又は専用やっとこで摘まなければならないので、指が保存液に漬かることになるのはもちろんのこと、易しく摘むことができないだけでなく、着用しやしい形態で摘むことができない問題がある。
【０００６】
これに鑑みて、一例として特許文献１には保管容器の保存液中に漬かっているレンズを開けるとき、覆いの下部に付いて取り出されるようにすることにより、レンズを容易に着用することができるようにするソフトレンズ包装容器が開示されている。
【０００７】
しかし、従来のソフトレンズ包装容器は一つのコンタクトレンズのみ包装されており
、コンタクトレンズより包装容器のサイズが何倍も大きいため積載が容易でないだけでなく、携帯にかなり大きな空間を占めることになる問題がある。
【０００８】
本発明の背景になる技術は特許文献１に開示されている。
【先行技術文献】
【特許文献】
【０００９】
【特許文献１】韓国公開特許第１０−２００９−００５０３８８号公報
【発明の概要】
【発明が解決しようとする課題】
【００１０】
したがって、本発明は前述した背景から案出されたもので、本体の収容部にコンタクトレンズの効能が損傷しないようにコンタクトレンズの縁部が支持されるエッジ保護部と、コンタクトレンズの光学部が押された状態で支持されるオプティカルゾーン保護部が形成されることにより、狭い空間にコンタクトレンズを効率的に包装することができるコンタクトレンズ包装容器を提供することにその目的がある。
【００１１】
また、本体の収容部にコンタクトレンズの光学部が押された状態で包装されることにより、サイズを最小化することができるコンタクトレンズ包装容器を提供することにその目的がある。
【００１２】
また、包装ホイルを開封するとき、コンタクトレンズの前面部が開口方向に向かうように位置することにより、コンタクトレンズを着用しやすい形態で摘むことができるコンタクトレンズ包装容器を提供することにその目的がある。
【００１３】
また、本体の上部と下部に収容部がそれぞれ形成されて互いに異なるコンタクトレンズが個別に包装されることにより、左右視力に合う一対のコンタクトレンズを便利に携帯することができるコンタクトレンズ包装容器を提供することにその目的がある。
【００１４】
また、本体の外周面に指支持溝が形成されることにより、より容易に包装ホイルを開封することができるコンタクトレンズ包装容器を提供することにその目的がある。
【課題を解決するための手段】
【００１５】
このような目的を達成するために、本発明の一実施例は、保存液が満たされ、上方が開口となった第１収容部と、保存液が満たされ、下方が開口となった第２収容部とが形成される本体；を含むことを特徴とするコンタクトレンズ包装容器を提供する。
【００１６】
また、本発明において、前記保存液に漬かった状態で、膨らんでいる部分が開口方向に向かうように置かれるコンタクトレンズ；前記本体の第１収容部を密閉するように前記本体の上側端部に融着される第１包装ホイル；及び前記本体の第２収容部を密閉するように前記本体の下側端部に融着される第２包装ホイル；をさらに含むことを特徴とする。
【００１７】
また、本発明において、前記本体の第１収容部と第２収容部の高さは前記コンタクトレンズの高さより低く形成され、前記コンタクトレンズの光学部が押された状態で収容されることを特徴とする。
【００１８】
また、本発明において、前記第１収容部の下側面と前記第２収容部の上側面のいずれか一方又は両方には前記コンタクトレンズの縁部が支持されるようにエッジ保護部が突設されることを特徴とする。
【００１９】
また、本発明において、前記第１収容部の下側面と前記第２収容部の上側面のいずれか一方又は両方には前記コンタクトレンズの押された光学部が支持されるようにオプティカルゾーン保護部が突設されることを特徴とする。
【００２０】
また、本発明において、前記本体の外側面には、前記第１包装ホイル又は前記第２包装ホイルを除去するとき、指が入れられて支持されるように凹設される指支持溝が形成されることを特徴とする。
【００２１】
また、本発明において、前記第１包装ホイル及び前記第２包装ホイルには、把持ができるように一側又は両側に取っ手部がそれぞれ形成されることを特徴とする。
【００２２】
また、本発明において、前記本体の厚さは２ｍｍ〜６ｍｍであることを特徴とする。
【発明の効果】
【００２３】
本発明の一実施例によると、本体の収容部にコンタクトレンズの効能が損傷しないようにコンタクトレンズの縁部が支持されるエッジ保護部と、コンタクトレンズの光学部が押された状態で支持されるオプティカルゾーン保護部とが形成されることにより、狭い空間にコンタクトレンズを効率的に包装することができる効果がある。
【００２４】
また、本体の収容部にコンタクトレンズの光学部が押された状態で包装されることにより、コンタクトレンズ包装容器のサイズを最小化することができる効果がある。
【００２５】
また、包装ホイルを開封するとき、コンタクトレンズの前面光学部が開口方向に向かうように位置することにより、コンタクトレンズを着用しやすい形態で摘むことができる効果がある。
【００２６】
また、本体の上部と下部に収容部がそれぞれ形成されて互いに異なるコンタクトレンズが個別に包装されることにより、左右視力に合う一対のコンタクトレンズを便利に携帯することができる効果がある。
【００２７】
また、本体の外周面に指支持溝が形成されることにより、より容易に包装ホイルを開封することができる効果がある。
【図面の簡単な説明】
【００２８】
【図１】本発明の一実施例によるコンタクトレンズ包装容器を示した縦断面図である。
【図２】本発明の一実施例によるコンタクトレンズ包装容器の本体を示した斜視図である。
【図３】本発明の一実施例によるコンタクトレンズ包装容器の本体を示した平面図である。
【図４】本発明の一実施例によるコンタクトレンズ包装容器の本体を示した縦断面図である。
【図５】本発明の一実施例による複数のコンタクトレンズ包装容器が結合された状態を示した図である。
【発明を実施するための形態】
【００２９】
以下、本発明の幾つかの実施例を例示的な図面に基づいて詳細に説明する。各図の構成要素に参照符号を付け加えるに際して、同一構成要素に対しては、たとえ他の図上に表示されていてもできるだけ同一符号を付けることに留意しなければならない。また、本発明の説明において、関連の公知の構成又は機能についての具体的な説明が本発明の要旨をあいまいにすることができると判断される場合にはその詳細な説明は省略する。
【００３０】
また、本発明の構成要素の説明において、第１、第２、Ａ、Ｂ、（ａ）、（ｂ）などの用語を使うことができる。このような用語はその構成要素を他の構成要素と区別するためのものであるだけ、その用語によって当該構成要素の本質又は順番又は手順などが限定されない。ある構成要素が他の構成要素に“連結”、“結合”又は“接続”されると記載された場合、その構成要素はその他の構成要素に直接連結されるとか又は接続されることができるが、各構成要素の間にさらに他の構成要素が“連結”、“結合”又は“接続”されることもできると理解しなければならない。
【００３１】
図１は本発明の一実施例によるコンタクトレンズ包装容器を示した縦断面図、図２は本発明の一実施例によるコンタクトレンズ包装容器の本体を示した斜視図、図３は本発明の一実施例によるコンタクトレンズ包装容器の本体を示した平面図、図４は本発明の一実施例によるコンタクトレンズ包装容器の本体を示した縦断面図、図５は本発明の一実施例による複数のコンタクトレンズ包装容器が結合された状態を示した図である。
【００３２】
これらの図に示したように、本発明の一実施例によるコンタクトレンズ包装容器１００は、保存液４０が満たされ、上方が開口となった第１収容部２２ａと、保存液４０が満たされ、下方が開口となった第２収容部２２ｂとが形成された本体２０；保存液４０に漬かった状態で膨らんでいる部分が開口方向に向かうように置かれるコンタクトレンズ１０；本体２０の第１収容部２２ａが密閉されるように本体２０の上側端部に融着される第１包装ホイル３０ａ；及び本体２０の第２収容部２２ｂが密閉されるように本体２０の下側端部に融着される第２包装ホイル３０ｂ；を含むことを特徴とするコンタクトレンズ包装容器１００を提供する。
【００３３】
本発明によるコンタクトレンズ包装容器１００は、コンタクトレンズ１０、本体２０、第１包装ホイル３０ａ及び第２包装ホイル３０ｂを含んでなる。
【００３４】
以下、図１〜図５を参照してコンタクトレンズ１０、本体２０、第１包装ホイル３０ａ及び第２包装ホイル３０ｂについて具体的に説明する。
【００３５】
本体２０は運搬又は保管中に破損しないように合成樹脂などの堅い素材からなり、本発明において本体２０は略円柱形になり、厚さが２ｍｍ〜６ｍｍである。
【００３６】
このような本体２０には上方が開口となった第１収容部２２ａと、下方が開口となった第２収容部２２ｂとが形成され、本体２０の上部と下部に形成された第１収容部２２ａと第２収容部２２ｂには互いに異なるコンタクトレンズ１０がそれぞれ個別に包装される。
【００３７】
このように、第１収容部２２ａと第２収容部２２ｂのそれぞれに互いに異なるコンタクトレンズ１０が個別に包装されることにより、左右視力に合う一対のコンタクトレンズ１０を便利に携帯することができるようになる。
【００３８】
第１収容部２２ａと第２収容部２２ｂは上下に対称となった構造であり、上側から見たとき、略円形に形成される。
【００３９】
そして、第１収容部２２ａと第２収容部２２ｂには保存液４０が満たされ、コンタクトレンズ１０が保存液４０に漬かった状態で置かれる。
【００４０】
ここで、コンタクトレンズ１０は膨らんでいる部分が開口方向に向かうように第１収容部２２ａと第２収容部２２ｂのそれぞれに置かれる。
【００４１】
すなわち、包装ホイル３０を開封するとき、コンタクトレンズ１０の前面光学部１２が開口方向に向かうように位置し、よって、コンタクトレンズ１０を着用しやすい形態（膨らんでいる部分が人差し指に触れる形態）で摘むことができるようになる。
【００４２】
ここで、本体２０の第１収容部２２ａと第２収容部２２ｂの高さはコンタクトレンズ１０の高さより低く形成され、コンタクトレンズ１０の光学部１２が押された状態で第１収容部２２ａと第２収容部２２ｂにそれぞれ収容されて包装される。
【００４３】
ここで、コンタクトレンズ１０の効能が損傷しないようにコンタクトレンズ１０の縁部１６はエッジ保護部２４に支持され、光学部１２の角膜と密着する面１４はオプティカルゾーン保護部２６に支持される。
【００４４】
エッジ保護部２４は第１収容部２２ａの下側面と第２収容部２２ｂの上側面のそれぞれにコンタクトレンズ１０の縁部１６が支持されるようにリング形に突設される。
【００４５】
そして、オプティカルゾーン保護部２６は第１収容部２２ａの下側面と第２収容部２２ｂの上側面のそれぞれにコンタクトレンズ１０の押された光学部１２の角膜と密着する面１４が支持されるようにリング形に突設される。
【００４６】
ここで、エッジ保護部２４とオプティカルゾーン保護部２６は同心を成し、オプティカルゾーン保護部２６はエッジ保護部２４の内側に一定間隔で離隔して形成される。
【００４７】
このように、本体２０の収容部２２にコンタクトレンズ１０の効能が損傷しないようにコンタクトレンズ１０の縁部が支持されるエッジ保護部２４と、コンタクトレンズ１０の光学部１２が押された状態で支持されるオプティカルゾーン保護部２６とが形成されることにより、狭い空間にコンタクトレンズ１０を効率的に包装することができるようになる。
【００４８】
さらに、本体２０の収容部２２にコンタクトレンズ１０の光学部１２が押された状態で包装されることにより、コンタクトレンズ包装容器１００のサイズを最小化することができるようになるものである。
【００４９】
そして、第１包装ホイル３０ａは本体２０の第１収容部２２ａを密閉するように本体２０の上側端部に融着され、第２包装ホイル３０ｂは本体２０の第２収容部２２ｂを密閉するように本体２０の下側端部に融着される。
【００５０】
すなわち、第１包装ホイル３０ａは本体２０の第１収容部２２ａに満たされた保存液４０が漏れないように第１収容部２２ａを密閉し、本体２０の上側端部に円周方向に平たく形成されるフランジ部２８に除去可能に融着される。
【００５１】
また、第２包装ホイル３０ｂは本体２０の第２収容部２２ｂに満たされた保存液４０が漏れないように第２収容部２２ｂを密閉させ、本体２０の下側端部に円周方向に平たく形成されるフランジ部２８に除去可能に融着される。
【００５２】
ここで、第１包装ホイル３０ａと第２包装ホイル３０ｂは本体２０のフランジ部２８に１６０℃〜１８０℃の温度、０．２０Ｍｐａ〜０．３０Ｍｐａの圧力及び２秒〜４秒の時間（ｄｗｅｌｌ  ｔｉｍｅ）で１次熱融着して密封し、１９０℃〜２１０℃の温度、０．２０Ｍｐａ〜０．３０Ｍｐａの圧力及び２秒〜５秒の時間（ｄｗｅｌｌ  ｔｉｍｅ）で２次熱融着して密封する。
【００５３】
これとは違い、第１包装ホイル３０ａと第２包装ホイル３０ｂは本体２０のフランジ部２８に接着剤などで接着されることもできる。
【００５４】
そして、コンタクトレンズ包装容器１００に密封されたコンタクトレンズ１０を取り出す場合、包装ホイル３０を除去することになる。この時、本体２０の外側面には、包装ホイル３０を除去するときに指を入れて本体２０を把持することができるように指支持溝２９が形成される。
【００５５】
指支持溝２９は本体２０の外周面に円周方向に凹設され、指支持溝２９に指を入れて本体２０を把持した状態で第１包装ホイル３０ａ又は第２包装ホイル３０ｂを除去するようになる。
【００５６】
このように、本体２０の外周面に指支持溝２９が形成されることにより、より容易に包装ホイル３０を開封することができるようになる。
【００５７】
さらに、第１包装ホイル３０ａ及び第２包装ホイル３０ｂには、容易な除去のために、一側又は両側に取っ手部３４がそれぞれ形成される。
【００５８】
すなわち、本体２０を覆っている包装ホイル３０の一側が幅方向に伸びて取っ手部３４をそれぞれ形成するようになる。
【００５９】
したがって、第１包装ホイル３０ａ又は第２包装ホイル３０ｂを除去するとき、指支持溝２９に指を入れて本体２０を把持した状態で第１包装ホイル３０ａ又は第２包装ホイル３０ｂの取っ手部３４を引っぱって第１包装ホイル３０ａ又は第２包装ホイル３０ｂを除去するようになる。
【００６０】
このようなコンタクトレンズ包装容器１００の包装ホイル３０は、図６に示したように、
隣接したコンタクトレンズ包装容器１００’、１００”の包装ホイル３０と一体に形成されることができ、コンタクトレンズ包装容器１００、１００’、１００”が互いに分離されるように包装ホイル３０のコンタクトレンズ包装容器１００、１００’、１００”の間には切取線１１０が形成されることもできる。
【００６１】
そして、本発明によるコンタクトレンズ包装容器１００の包装及び使用方法を説明する。
【００６２】
まず、本体２０の第１収容部２２ａに保存液４０を満たす。
【００６３】
そして、膨らんでいる部分が開口方向に向かうようにコンタクトレンズ１０を第１収容部２２ａに入れる。
【００６４】
この時、コンタクトレンズ１０の縁部１６が第１収容部２２ａのエッジ保護部２４に支持されるようにする。
【００６５】
そして、本体２０の第１収容部２２ａを密閉するように本体２０の上側端部に第１包装ホイル３０ａを融着させる。
【００６６】
本発明では、本体２０の第１収容部２２ａの高さがコンタクトレンズ１０の高さより低く形成され、コンタクトレンズ１０の光学部１２が押された状態で本体２０の第１収容部２２ａに収容されて包装される。
【００６７】
すなわち、コンタクトレンズ１０の効能が損傷しないようにコンタクトレンズ１０の縁部１６がエッジ保護部２４に支持され、光学部１２の角膜と密着する面１４がオプティカルゾーン保護部２６に支持された状態で包装されるものである。
【００６８】
ついで、本体２０の第２収容部２２ｂに保存液４０を満たす。
【００６９】
そして、膨らんでいる部分が開口方向に向かうようにコンタクトレンズ１０を第２収容部２２ｂに入れる。
【００７０】
この時、コンタクトレンズ１０の縁部１６が第２収容部２２ｂのエッジ保護部２４に支持されるようにする。
【００７１】
そして、本体２０の第２収容部２２ｂを密閉するように本体２０の上側端部に第２包装ホイル３０ｂを融着させる。
【００７２】
本発明では、本体２０の第２収容部２２ｂの高さがコンタクトレンズ１０の高さより低く形成され、コンタクトレンズ１０の光学部１２が押された状態で本体２０の第２収容部２２ｂに収容されて包装される。
【００７３】
すなわち、コンタクトレンズ１０の効能が損傷しないようにコンタクトレンズ１０の縁部１６がエッジ保護部２４に支持され、光学部１２の角膜と密着する面１４がオプティカルゾーン保護部２６に支持された状態で包装されるものである。
【００７４】
ついで、コンタクトレンズ包装容器１００に密封されたコンタクトレンズ１０を取り出す場合、指支持溝２９に指を入れて本体２０を把持した状態で第１包装ホイル３０ａ又は第２包装ホイル３０ｂの取っ手部３４を引っぱって第１包装ホイル３０ａ又は第２包装ホイル３０ｂを除去する。
【００７５】
ここで、包装ホイル３０を除去して開封するとき、コンタクトレンズ１０の前面光学部１２は上側に向かうように位置し、よって、コンタクトレンズ１０を着用しやすい形態、すなわち膨らんでいる部分が人差し指に触れた形態でコンタクトレンズ１０を摘むことができるようになる。
【００７６】
以上で、本発明の実施例を構成する全ての構成要素が一つに結合されるとか結合されて動作するものとして説明されたと言っても、本発明が必ずしもこのような実施例に限定されるものではない。すなわち、本発明の目的範囲内であれば、その全ての構成要素が一つ以上で選択的に結合して動作することもできる。
【００７７】
また、以上で記載した“含む”、“構成する”又は“有する”などの用語は、特に反対する記載がない限り、該当構成要素が内在されることができることを意味するものなので、他の構成要素を除くものではなく他の構成要素をさらに含むことができるものと解釈されなければならない。技術的又は科学的な用語を含む全ての用語は、他に定義しない限り、本発明が属する技術分野で通常の知識を有する者によって一般的に理解されるものと同一の意味を有する。前もって定義された用語のように一般的に使われる用語は関連技術の文脈上の意味と一致するものと解釈されなければならなく、本発明で明白に定義しない限り、理想的であるか過度に形式的な意味と解釈されない。
【００７８】
以上の説明は本発明の技術思想を例示的に説明したものに過ぎなく、本発明が属する技術分野で通常の知識を有する者であれば、本発明の本質的な特性から逸脱しない範疇内で多様な修正及び変形が可能であろう。よって、本発明に開示された実施例は本発明の技術思想を限定するためのものではなく説明するためのものであり、このような実施例によって本発明の技術思想の範囲が限定されるものではない。本発明の保護範囲は下記の請求範囲によって解釈されなければならなく、それと同等な範囲内にある全ての技術思想は本発明の権利範囲に含まれるものと解釈されなければならないであろう。
【符号の説明】
【００７９】
２０    本体
２２ａ  第１収容部
２２ｂ  第２収容部
２４    エッジ保護部
２６    オプティカルゾーン保護部
２８    フランジ部
２９    指支持溝
３０ａ  第１包装ホイル
３０ｂ  第２包装ホイル
３４    取っ手部
【図１】
0006768059.tif 000002
【図２】
0006768059.tif 000003
【図３】
0006768059.tif 000004
【図４】
0006768059.tif 000005
【図５】
0006768059.tif 000006